(57)【要約】【課題】携帯電話端末等の入力操作音発生型機器において、操作音に娯楽性をもたせられる技術の提供。【解決手段】予め設定された複数の音源データの再生順序を規定した音パターンデータを記憶し、単位入力操作毎に上記音源データを上記再生順序に従って読出し、１つのメロディ等を形成した音として出力可能な構成とする。【選択図】  図１
2004219744.tif 000002
【特許請求の範囲】
【請求項１】
単位情報に対応する単位入力操作毎に入力操作音を発生可能にした入力操作音発生型機器において、
予め設定された複数の音源データと該音源データの再生順序を規定する再生順序情報とを含む音パターンデータを保持可能な記憶手段と、
上記音源データを、上記単位入力操作毎に上記再生順序情報に基づき上記記憶手段から読出し、該読出した音源データを放音手段に入力させる制御手段と、
を備え、複数回の上記単位入力操作が行われたとき、該複数回の単位入力操作に対応して上記記憶手段から読出される複数の音源データを時系列に組合わせ、該組合わせた音源データに基づく音を上記放音手段から出力可能にした構成を特徴とする入力操作音発生型機器。
【請求項２】
単位情報に対応する単位入力操作毎に入力操作音を発生可能にした入力操作音発生型機器において、
予め設定された複数の音源データと該複数の音源データの再生順序を規定する再生順序情報とを含み予め設定される音パターンデータを保持可能な記憶手段と、上記音源データを上記単位入力操作毎に上記再生順序情報に基づき上記記憶手段から読出し該読出した音源データを放音手段に入力させる制御手段とを備え、複数回の上記単位入力操作が行われたとき、該複数回の単位入力操作に対応して上記記憶手段から読出される複数の音源データを時系列に組合わせ、該組合わせた音源データに基づく音を上記放音手段から出力する第１の入力操作音発生手段と、
単位入力操作を行う操作部に対応して設定された音源データを保持可能な記憶手段と、上記音源データを上記単位入力操作毎に上記記憶手段から読出し該読出した音源データを放音手段に入力させる制御手段とを備え、単位入力操作毎に音源データを上記記憶手段から読出し該読出した音源データに基づく入力操作音を上記放音手段から出力する第２の入力操作音発生手段と、
少なくとも上記第１の入力操作音発生手段、上記第２の入力操作音発生手段のいずれか一方を選択する選択手段と、
を備えた構成を特徴とする入力操作音発生型機器。
【請求項３】
送信する１つの情報が複数の単位情報の集成として形成され、該単位情報に対応する単位入力操作毎に入力操作音を発生可能にした入力操作音発生型機器において、
予め設定された複数の音源データと該音源データの再生順序を規定する再生順序情報とを含む音パターンデータを保持可能な記憶手段と、
情報送信時に上記単位入力操作を行うための操作部を有する入力手段と、
上記音源データを音に変換する放音手段と、
上記音源データを上記単位入力操作毎に上記再生順序情報に基づき上記記憶手段から読出し、該読出した音源データを上記放音手段に入力させる制御手段と、上記音パターンデータと、該音パターンデータの再生を指示する付属情報とを、他の機器側に対し送信するとともに、該他の機器側から受信する送受信手段と、
上記単位入力操作により形成される送信情報を表示する表示手段と、
を備え、情報送信時、複数回の上記単位入力操作が行われたとき、該単位入力操作により形成される送信情報を上記表示手段に表示するとともに、該複数回の単位入力操作に対応して上記記憶手段から読出される複数の音源データを時系列に組合わせ、該組合わせた音源データに基づく音を上記放音手段から出力し、かつ、上記音パターンデータと該音パターンデータの付属情報とを送受信可能にした構成を特徴とする入力操作音発生型機器。
【請求項４】
上記制御手段は、上記付属情報に基づき自動的に上記音パターンデータが再生されるように切換え可能な構成である請求項３に記載の入力操作音発生型機器。
【請求項５】
上記制御手段は、上記音パターンデータを非再生状態に切換え、該非再生状態時に該音パターンデータによる入力操作音とは別の入力操作音が発生されるようにする構成を有する請求項３に記載の入力操作音発生型機器。
【請求項６】
上記音パターンデータがメロディを形成する請求項１から５のいずれかに記載の入力操作音発生型機器。
【請求項７】
上記制御手段は、上記単位入力操作に対応する画像を上記表示手段に表示させる構成を備える請求項３に記載の入力操作音発生型機器。
【請求項８】
上記制御手段は、上記音源データを変更し上記記憶手段に記憶される音パターンデータを変更可能な構成を備える請求項１、２または３に記載の入力操作音発生型機器。
【請求項９】
単位情報に対応する単位入力操作毎に入力操作音を発生可能な入力操作音制御方法において、
予め設定された複数の音源データと該音源データの再生順序を規定する再生順序情報とを含む音パターンデータを記憶手段に記憶する第１のステップと、
予め設定された上記音源データを上記再生順序情報に基づき、上記単位入力操作毎に上記記憶手段から読出す第２のステップと、
該読出した音源データを放音手段に入力する第３のステップと、
上記第２のステップと上記第３のステップとを繰り返す第４のステップと、
を経て、上記複数回の単位入力操作に対応した複数の音源データを時系列に組合わせ、該組合わせた音源データに基づく音を発生させることを特徴とする入力操作音制御方法。
【発明の詳細な説明】
【０００１】
【発明の属する技術分野】
本発明は、単位入力操作毎に入力操作音を発生可能な入力操作音発生型機器に関する。
【０００２】
【従来の技術】
本発明に関連した従来技術としては、例えば、着信時にメロディにより着信報知を行ういわゆる着メロ機能を有した携帯電話端末がある。その多くは、複数の着信メロディパターンを保持し、通話先相手や通信種別（電話、メール等）に応じて自由に設定される構成を備えている。携帯電話端末ではこれによって１つの娯楽性が得られる。また、文献記載の従来技術としては、例えば、特開２００１−２５１３９１号公報（特許文献１）、特開２００２−２７０５２号公報（特許文献２）、特開２００１−２１２３６９号公報（特許文献３）及び特開平１１−１５１３８０号公報（特許文献４）に記載されたものがある。特開２００１−２５１３９１号公報や特開２００２−２７０５２号公報には、着信報知音だけでなく、各種アラーム音やキー操作音も任意に設定できるようにした技術が記載されている。特開２００１−２１２３６９号公報や特開平１１−１５１３８０号公報には、キー入力操作に娯楽性を付加する例として、ＢＧＭに合わせて定められたタイミングでキー入力を促すタイピング練習装置やゲーム機についての技術が記載されている。
【０００３】
【特許文献１】
特開２００１−２５１３９１号公報
【特許文献２】
特開２００２−２７０５２号公報
【特許文献３】
特開２００１−２１２３６９号公報
【特許文献４】
特開平１１−１５１３８０号公報
【０００４】
【発明が解決しようとする課題】
例えば、従来の携帯電話端末では、端末寸法が小さいことやキー数が少ないことに起因してキー入力操作がしにくいのが一般的である。特に、メール機能を有する端末では、文字入力操作がユーザに対して煩わしさを感じさせるおそれがある。上記特開２００１−２５１３９１号公報や特開２００２−２７０５２号公報に記載された携帯電話端末の技術では、各キー毎に入力操作音を割当てるものであり、メール文章作成のように一連のキー入力操作を行った場合には、互いに関連のない音が断続的に出力されることになる。また、上記特開２００１−２１２３６９号公報や特開平１１−１５１３８０号公報に記載された技術では、定められたタイミングでキー入力を行った場合にのみ所定の音楽が再生されるに過ぎない。
本発明の課題点は、かかる従来技術の状況に鑑み、携帯電話端末等の入力操作音発生型機器において、文字入力操作等のランダムなキー操作などを行った場合にも、入力操作音が、予め設定されているメロディ等の娯楽性を有した音として出力されるようにすることである。
本発明の目的は、かかる課題点を解決できる技術の提供にある。
【０００５】
【課題を解決するための手段】
上記課題点を解決するために、本発明では、携帯電話端末等の入力操作音発生型機器を、基本的に、予め設定された複数の音源データの再生順序を規定した音パターンデータを記憶し、単入力操作毎に上記音源データを上記再生順序に従って読出し、１つのメロディ等を形成した音として出力可能な構成とする。具体的には、（１）単位情報に対応する単位入力操作毎に入力操作音を発生可能にした入力操作音発生型機器として、予め設定された複数の音源データと該音源データの再生順序を規定する再生順序情報とを含む音パターンデータを保持可能な記憶手段と、上記音源データを、上記単位入力操作毎に上記再生順序情報に基づき上記記憶手段から読出し、該読出した音源データを放音手段に入力させる制御手段とを備え、複数回の上記単位入力操作が行われたとき、該複数回の単位入力操作に対応して上記記憶手段から読出される複数の音源データを時系列に組合わせ、該組合わせた音源データに基づく音を上記放音手段から出力可能にした構成とする。（２）入力操作音発生型機器として、予め設定された複数の音源データと該複数の音源データの再生順序を規定する再生順序情報とを含み予め設定される音パターンデータを保持可能な記憶手段と、上記音源データを上記単位入力操作毎に上記再生順序情報に基づき上記記憶手段から読出し該読出した音源データを放音手段に入力させる制御手段とを備え、複数回の上記単位入力操作が行われたとき、該複数回の単位入力操作に対応して上記記憶手段から読出される複数の音源データを時系列に組合わせ、該組合わせた音源データに基づく音を上記放音手段から出力する第１の入力操作音発生手段と、単位入力操作を行う操作部に対応して設定された音源データを保持可能な記憶手段と、上記音源データを上記単位入力操作毎に上記記憶手段から読出し該読出した音源データを放音手段に入力させる制御手段とを備え、単位入力操作毎に音源データを上記記憶手段から読出し該読出した音源データに基づく入力操作音を上記放音手段から出力する第２の入力操作音発生手段と、少なくとも上記第１の入力操作音発生手段、上記第２の入力操作音発生手段のいずれか一方を選択する選択手段とを備えた構成とする。（３）送信する１つの情報が複数の単位情報の集成として形成され、該単位情報に対応する単位入力操作毎に入力操作音を発生可能にした入力操作音発生型機器として、予め設定された複数の音源データと該音源データの再生順序を規定する再生順序情報とを含む音パターンデータを保持可能な記憶手段と、情報送信時に上記単位入力操作を行うための操作部を有する入力手段と、上記音源データを音に変換する放音手段と、上記音源データを上記単位入力操作毎に上記再生順序情報に基づき上記記憶手段から読出し、該読出した音源データを上記放音手段に入力させる制御手段と、上記音パターンデータと、該音パターンデータの再生を指示する付属情報とを、他の機器側に対し送信するとともに、該他の機器側から受信する送受信手段と、上記単位入力操作により形成される送信情報を表示する表示手段とを備え、情報送信時、複数回の上記単位入力操作が行われたとき、該単位入力操作により形成される送信情報を上記表示手段に表示するとともに、該複数回の単位入力操作に対応して上記記憶手段から読出される複数の音源データを時系列に組合わせ、該組合わせた音源データに基づく音を上記放音手段から出力し、かつ、上記音パターンデータと該音パターンデータの付属情報とを送受信可能にした構成とする。（４）単位情報に対応する単位入力操作毎に入力操作音を発生可能な入力操作音制御方法として、予め設定された複数の音源データと該音源データの再生順序を規定する再生順序情報とを含む音パターンデータを記憶手段に記憶する第１のステップと、予め設定された上記音源データを上記再生順序情報に基づき、上記単位入力操作毎に上記記憶手段から読出す第２のステップと、該読出した音源データを放音手段に入力する第３のステップと、上記第２のステップと上記第３のステップとを繰り返す第４のステップとを経て、上記複数回の単位入力操作に対応した複数の音源データを時系列に組合わせ、該組合わせた音源データに基づく音を発生させる。
【０００６】
【発明の実施の形態】
以下、本発明の実施例につき、図面を用いて説明する。なお、実施例は、入力操作音発生型機器の一例としての携帯電話端末の場合につき述べる。
図１〜図４は、本発明の第１の実施例の説明図である。図１は、本発明の第１の実施例の構成例を示す図、図２は、図１の端末構成に用いる音パターンデータの構成例を示す図、図３は、図１の端末構成における操作手順例を示す図、図４は、操作音モード設定における表示画面の遷移の説明図である。
図１において、１１は無線により通信回線の確立を行う送受信手段としての通信部、１２は、音声変復調処理などの音声信号処理を行う音声処理部、１３は、マイクや放音手段としてのスピーカ等の音声入出力部、１４は、端末全体の制御を行う制御手段としての制御部、１５はメインプログラムや様々なユーザデータを記憶しておくための記憶手段としての記憶部、１６は、操作部としてのキーを介しユーザからの入力を受付ける入力手段としての入力部、１７は、例えば液晶ディスプレイのような表示手段としての表示部である。記憶部１５には、一連のキー操作音として割当てるための音パターンデータ１５１が含まれる。入力部１６には、「通常モード」と「押しメロモード」とを切替えるためのモード設定キー１６１が含まれる。
【０００７】
図２は、音パターンデータ１５１のデータ構造の一例を示す。音パターンデータ１５１は「音階」と「長さ」の２種類のフィールドを有するデータが時系列で並んだ構成となっている。音階フィールドは、音符の音階名（オクターブ数を表す情報を含む）または休符を表し、長さフィールドは、音符または休符の長さを表す。例えば、図２の１番目の音はドの４分音符、９番目の音はドの２分音符を表しているが、これらは１オクターブだけ音程が異なる。また、６番目は２部休符を表している。音パターンデータ１５１は、一般的な、いわゆる「着メロ」として使用されるデータなどと同じものであることが望ましいが、本発明の端末用としての専用データであってもよい。また、図２の場合は音パターンデータ１５１が単音の並びで構成された場合であるが、複数のパート、すなわち和音の並びなどで構成されたものであってもよい。さらには、ピアノ調の音色やトランペット調の音色などの音色情報を含んだデータであってもよい。
【０００８】
図３は、本発明の第１の実施例に係る携帯電話端末の操作手順を示す図である。該端末がユーザからのキー入力待ち状態になっている時（Ｓ３０１）に何らかのキーが押下されると、現在のモード判定を行ってモードに応じた処理を行う（Ｓ３０２）。通常モードであれば、押下されたキー種別を示す情報を取得して（Ｓ３０３）、取得したキー種別に応じて音データを取得する（Ｓ３０４）。さらに、該取得した音データを音出力装置から放音する（Ｓ３０５）。例えば、「１」のキーが押下された時は「ド」、「２」のキーが押下された時は「レ」といったように音データを音声入出力部１３（図１）から放音する。このように通常モードでは、押下されたキーの種類に応じて一定の音を鳴らす。一方、Ｓ３０２のモード判定において、「押しメロモード」と判定されると、まず、キー入力時のメロディとして登録されている音パターンデータを取得する（Ｓ３０６）。次に、シーケンス番号を取得する（Ｓ３０７）。ここで、シーケンス番号とは、ある時点からの通算でキーが何回押下されたかを示す情報である。従って、キーを押下する毎に該シーケンス番号は更新される。続いて、取得した音パターンデータとシーケンス番号から出力すべき音データを取得し（Ｓ３０８）、該取得した音データを音声入出力部１３（図１）から音として出力する（Ｓ３０５）。例えば、図２に示した音パターンデータがキー入力時のメロディとして設定されていて、シーケンス番号が「１」の場合にキーを押下すると、図２に示した音パターンデータの１番目の音データ（音階「ド２」、長さ「１／４」）を音として、音声入出力部１３（図１）から出力する。続けてキーによる入力操作を行うと、シーケンス番号が「２」になっているため、図２に示した音パターンデータの２番目の音データ（音階「レ２」、長さ「１／４」）を音として音声入出力部１３（図１）から出力する。このようにして操作音制御が行われ、予め設定されたメロディなどが出力される。以下、このモードを「押しメロモード」という。なお、上記説明では音データに「長さ」が含まれるとしたが、実際に音声入出力部１３（図１）から音として出力（放音）する場合には、「長さ」に応じて放音し続ける時間を変えてもよいし、音データの「音階」だけを参照し一定時間放音し続けるようにしてもよい。
【０００９】
音パターンデータに休符が含まれる場合は、次のようになる。すなわち、例えば、図２に示した音パターンデータがキー入力時のメロディとして設定されていて、シーケンス番号が「６」の場合にキーを押下した場合、取得した音データは「休符」であるためキーを押下しても放音されない。しかし、キーを押下しても何も放音されないことをユーザが嫌うことも考えられるため、取得した音データが「休符」であった場合には、次の音データ（ここでは音階「ラ２」、長さ「１／４」）を取り出して放音するようにしてもよい。この場合、更新されたシーケンス番号は「８」となる。
【００１０】
図４は、操作音モード設定において「押しメロモード」を設定する場合の画面遷移の説明図である。まず、各種設定画面（Ｄ４０１）から「操作音モード設定」が選択されると、操作音モード設定画面（Ｄ４０２）に遷移する。本第１の実施例では、操作されるキーに固定的に対応したキー操作音が出力されるいわゆる「通常モード」と、「押しメロモード」のいずれかの選択が可能であるとする。「押しメロモード」を選択すると、登録したい音パターンデータを選択するための画面に遷移し（Ｄ４０３）、ここでキー操作音として使用したい音パターンデータを登録することができる。設定できるモードが、「通常モード」と「押しメロモード」の２種類だけの場合、モード設定を「押しメロモード」にしたときは必ず上記操作音制御が行われるが、該操作音制御が行われる条件をさらに限定するようにしてもよい。例えば、メール作成等の文字入力のときだけ該操作音制御が行われ、メニュー選択時には該操作音制御は行われない制御方法もある。これらの設定はＤ４０３の画面上で設定できるようにすることが望ましい。
上記図１〜図４で説明した技術は、相手先に最初に送信するときのキー操作においてのみならず、相手先から送信されてきた情報を受信後、相手先に返信する場合のキー操作においても適用されるものとする。
【００１１】
なお、上記第１の実施例では、本発明における入力操作音制御が端末の全てのキーに対して適用されるとして説明したが、本発明はこれに限定されず、該入力操作音制御を行うキーを限定するようにしてもよい。例えば、文字入力用のキーに対してのみ適用し、その他のキーに対しては適用しないようにしてもよい。また、上記第１の実施例では、単位入力操作によりキーが押下動作される度に、音パターンデータに従って音が音声入出力部１３（図１）から出力（放音）されるとしたが、さらに、一層の娯楽性を与えること等を目的に、出力される音に合わせ、入力文字以外の画像が表示部１７（図１）に表示されるようにしてもよい。音を出せない状況にある場合、例えば電車の内部などにおいては、上記出力音がない状態で上記画像が表示されるようにしてもよい。該画像は、例えば、表示画面上における入力文字表示部の周囲部分の一部などに表示されるようにすると、入力文字表示のじゃまにならない。表示する画像内容としては、例えば、音パターンデータに対応するメロディの音符などであってもよいし、あるいは、漫画のキャラクターや、送信相手先の人の似顔絵などを単位入力操作毎に変化させるようにしたものであってもよく、特に限定されない。また、上記第１の実施例では、キーを押下する毎にシーケンス番号は１つずつ増えるとしたが、音パターンデータに休符が含まれるときにはシーケンス番号は２つ以上増える場合もある。このため、バックスペースキーの押下時にはシーケンス番号を１つ減らすようにしてもよい。他に、シーケンス番号を初期値に戻すための操作手段を有することが望ましい。
上記第１の実施例によれば、一連のキー操作音が１つのメロディを構成することになり、キー入力操作に娯楽性を与えることができる。
【００１２】
図５は、本発明の第２の実施例の説明図である。本第２の実施例は、送信されてきた音パターンデータを受信してキー操作音として登録し、再生音として使用可能にした構成を備える携帯電話端末の場合の例である。
図５は、ユーザＡからユーザＢに対してメールを送信し、ユーザＢがそのメールに対して返信する場合の手順例を示す図である。
図５において、まず、ユーザＡ側の端末でメール作成操作によりメールを作成する（ステップＳ５０１）。そして、相手に送信したい音パターンデータを添付ファイルとして設定する（ステップＳ５０２）。最後に、添付した音データファイルが押しメロモード用のデータであることを示す付属情報を付加してメールを送信する（ステップＳ５０３）。メール受信通知を受けたユーザＢ側の端末では、最初にメール本文を受信する（ステップＳ５０４）。このとき、通常の方法で添付されたデータがあった場合は、ユーザの操作により該添付データの受信も可能であるとする。また、該添付データが音楽データや画像データである場合はその再生も可能であるとする。しかし、「押しメロモード」用のデータであることを示す付属情報が付加されているデータは、ユーザの操作では受信できないようにするのが望ましい。このメールに対して返信メールを作成することを選択する（ステップＳ５０５）と、添付された音パターンデータの受信処理を開始する（ステップＳ５０６）。そして、受信した音パターンデータを「押しメロモード」で使用するキー操作音として登録する（ステップＳ５０７）。この時点で「通常モード」であった場合は、制御部１４（図１）により強制的に「押しメロモード」に切替わり、受信した音パターンデータを再生可能な状態になる。キー押下動作により返信メールを作成し始めると（ステップＳ５０８）、添付された音パターンデータに従ってキー操作音が出力される。該「押しメロモード」を、制御部１４（図１）により再び通常モードに戻すことも可能である。さらに、一層の娯楽性を与えること等を目的に、出力される音に合わせ、返信入力文字以外の画像を表示部に表示させるようにしてもよい。音を出せない状況にある場合、例えば電車の内部などにおいては、上記出力音のない状態で上記画像が表示されるようにしてもよい。該画像は、例えば、上記第１の実施例の場合と同様、表示画面上における入力文字表示部の周囲部分の一部などに表示されるようにすると、入力文字表示のじゃまにならないし、表示する画像内容も、例えば、音パターンデータに対応するメロディの音符などであってもよいし、あるいは、漫画のキャラクターや、返信相手先の人の似顔絵などを返信のキー操作毎（単位入力操作毎）に変化させるようにしたものであってもよい。返信メールの作成が終了して送信すると（ステップＳ５０９）、上記ステップＳ５０７で登録した音パターンデータの登録は解除され（ステップＳ５１０）、必要に応じて「押しメロモード」から「通常モード」に自動的に切替わる。
上記第２の実施例によれば、音パターンデータを添付したメールを受信した場合、それに対する返信メール作成時のキー操作音を、自動的に添付されたメロディ等の音パターンデータに従った音に切換えることができ、特にキー操作者に娯楽性を与えられる。
【００１３】
なお、上記各実施例は、入力操作音発生型機器が携帯電話端末の場合であるが、本発明はこれに限定されず、他の機器もその範囲内に含む。また、音パターンデータに従う音もメロディだけに限定されない。
【００１４】
【発明の効果】
本発明によれば、入力操作音発生型機器において、入力操作時の娯楽性を向上させることができる。
【図面の簡単な説明】
【図１】本発明の第１の実施例の構成例を示す図である。
【図２】図１の端末構成に用いる音パターンデータの構成例を示す図である。
【図３】図１の端末構成における操作手順例を示す図である。
【図４】操作音モード設定における表示画面の遷移の説明図である。
【図５】本発明の第２の実施例の説明図である。
【符号の説明】
１１…通信部、  １２…音声処理部、  １３…音声入出力部、  １４…制御部、１５…記憶部、  １５１…音パターンデータ、  １６…入力部、  １６１…モード設定キー、  １７…表示部。
【図１】
2004219744.tif 000003
【図２】
2004219744.tif 000004
【図３】
2004219744.tif 000005
【図４】
2004219744.tif 000006
【図５】
2004219744.tif 000007